(57)【特許請求の範囲】
【請求項１】
ソール部と、
透光性を有する材料で形成されたヒールと、
歩行時の足裏が前記ソール部を押圧する力を受けて電力を生成する電力発生器と、前記電力発生器により生成された電力を用いて前記ヒールの底に向けて光を発する発光体とを有する発光ユニットであって、前記ヒールの上方かつ前記ソール部内に埋設される発光ユニットと、
前記発光ユニットの発光体からの光を前記ヒール内で全反射または鏡面反射させて前記ヒールの外部に導く反射導光部と、
を備えたことを特徴とする発光機能付き靴。
【請求項２】
前記反射導光部は、全反射が生じる臨界角以上の入射角で前記発光ユニットの発光体からの光が入射するように構成された少なくとも１つの反射面を有することを特徴とする請求項１に記載の発光機能付き靴。
【請求項３】
前記反射導光部は、前記発光ユニットの発光体からの光を複数の方向に全反射または鏡面反射させる複数の反射面を有することを特徴とする請求項１に記載の発光機能付き靴。
【請求項４】
前記反射導光部は、前記ヒールに形成された空間により構成されることを特徴とする請求項１から３のいずれか一項に記載の発光機能付き靴。
【請求項５】
前記反射導光部は、前記ヒール内に埋設され、前記ヒールよりも屈折率の低い材料により形成されていることを特徴とする請求項１から３のいずれか一項に記載の発光機能付き靴。
【請求項６】
前記発光ユニットは、前記電力発生器により生成された電力を蓄積および制御して前記発光体に供給する制御部をさらに備えたことを特徴とする請求項１から５のいずれか一項に記載の発光機能付き靴。
【請求項７】
前記ヒール内に散在された複数の反射片をさらに備えたことを特徴とする請求項１から６のいずれか一項に記載の発光機能付き靴。
【発明の詳細な説明】
【技術分野】
【０００１】
本発明は、靴に関し、特に発光機能を有する靴に関するものである。
【背景技術】
【０００２】
発光機能を有する靴に関しては従来から様々の構成のものが知られている（例えば、特許文献１参照）。特許文献１に記載の発光靴では、圧電素子と発光ダイオードとを有する発光ユニットを靴のヒール内部に設置している。この発光ユニットは、踵の動きに連動して発光ダイオードを発光させ、靴底から後方に向けて光を照射するように構成されている（特許文献１の図６参照）。
【０００３】
このような構成の靴においては、外部への光の照射方向に沿って発光ダイオードを配置しなければならないが、靴の内部にはわずかなスペースしかないために、例えば光を様々な方向に照射するように発光ユニットを配置することが難しく、柔軟な設計ができないという問題がある。
【０００４】
また、例えばハイヒール靴のヒールから光を発光させようとする場合には、透明なヒール内に発光ユニットを配置する必要が生じるが、この発光ユニットが外部から見えてしまうため美観上好ましくない。したがって、美観が重視されるハイヒール靴においては発光機能を持たせることは難しいと考えられていた。
【０００５】
また、特許文献１に記載の発光靴は後方に向けて光を照射するように構成されているが、後方だけではなく左右にも光を照射する場合には、複数の発光ダイオードが必要となる。さらに、わずかなスペースにこれらの発光ダイオードを後方および左右に光を照射するように配置することは非常に難しいという問題がある。
【先行技術文献】
【特許文献】
【０００６】
【特許文献１】特開２００４−１０３２６５号公報
【発明の概要】
【発明が解決しようとする課題】
【０００７】
本発明は、このような従来技術の問題点に鑑みてなされたもので、美観を損なうことなく、簡単な構成で任意の方向に光を照射することができる発光機能付き靴を提供することを目的とする。
【課題を解決するための手段】
【０００８】
本発明の一態様によれば、美観を損なうことなく、簡単な構成で任意の方向に光を照射することができる発光機能付き靴が提供される。この発光機能付き靴は、ソール部と、透光性を有する材料で形成されたヒールと、上記ヒールの上方かつ上記ソール部内に埋設される発光ユニットとを備えている。上記発光ユニットは、歩行時の足裏が上記ソール部を押圧する力を受けて電力を生成する電力発生器と、上記電力発生器により生成された電力を用いて上記ヒールの底に向けて光を発する発光体とを有している。上記発光機能付き靴は、上記発光ユニットの発光体からの光を上記ヒール内で全反射または鏡面反射させて上記ヒールの外部に導く反射導光部をさらに備えている。
【０００９】
上記反射導光部は、全反射が生じる臨界角以上の入射角で上記発光ユニットの発光体からの光が入射するように構成された少なくとも１つの反射面を有していてもよい。また、上記反射導光部は、上記発光ユニットの発光体からの光を複数の方向に全反射または鏡面反射させる複数の反射面を有していてもよい。
【００１０】
さらに、上記ヒールに形成された空間により上記反射導光部を構成してもよい。あるいは、上記反射導光部を上記ヒールよりも屈折率の低い材料により形成し、上記ヒール内に埋設してもよい。
【００１１】
上記発光ユニットは、上記電力発生器により生成された電力を蓄積および制御して上記発光体に供給する制御部をさらに備えていてもよい。また、上記ヒール内に散在された複数の反射片をさらに備えていてもよい。
【発明の効果】
【００１２】
本発明によれば、実際に光を発する発光体と、外部に光を導く導光部（反射導光部）とを分離することができるので、発光体を収容する発光ユニットを靴のわずかなスペースに配置さえできれば、導光部により簡単に光を任意の方向に照射することができ、柔軟な設計が可能となる。したがって、様々なバリエーションのデザインを有し、夢のあるファッショナブルな発光機能付き靴を提供することができる。
【００１３】
また、発光体と外部に光を導く導光部（反射導光部）とが分離されているので、外部からは何もないところから発光しているように見え、見る人にデザイン的な驚きを与え、さらに注目を集めることができる。
【００１４】
また、発光体と外部に光を導く導光部（反射導光部）とを分離することができるので、ハイヒール靴などの美観が重視される靴に本発明を適用した場合であっても、外部から見えない箇所に発光体を配置することができ、靴の美観を損なうことがない。したがって、美観が重視される靴にも発光機能を持たせることが可能となる。
【図面の簡単な説明】
【００１５】
【図１】本発明の第１の実施形態における発光機能付き靴を示す側面図である。
【図２】図１に示す発光機能付き靴の平面図である。
【図３】図２のIII-III線に沿った部分断面図である。
【図４】図３のヒールの下部に形成された空間を説明するための模式図である。
【図５】図３の発光ユニットの構成の一例を示す回路図である。
【図６】図３の発光ユニットの構成の他の例を示す回路図である。
【図７】図３の発光ダイオードに供給される電圧の例を示すグラフである。
【図８】本発明の第２の実施形態における発光機能付き靴の部分断面図である。
【図９】本発明の第３の実施形態における発光機能付き靴の平面図である。
【図１０】図９のX-X線に沿った断面図である。
【図１１】本発明の第４の実施形態における発光機能付き靴の断面図である。
【図１２】本発明の第５の実施形態における発光機能付き靴の断面図である。
【図１３】本発明の第６の実施形態における発光機能付き靴の断面図である。
【図１４】図１３のXIV-XIV線に沿った断面図である。
【図１５】本発明の第７の実施形態における発光機能付き靴の部分断面図である。
【図１６】本発明の他の実施形態における発光機能付き靴の部分断面図である。
【発明を実施するための形態】
【００１６】
以下、本発明に係る発光機能付き靴の実施形態について図１から図１６を参照して詳細に説明する。なお、図１から図１６において、同一または相当する構成要素には、同一の符号を付して重複した説明を省略する。
【００１７】
図１は本発明の第１の実施形態における発光機能付き靴１を示す側面図、図２は発光機能付き靴１の平面図である。本実施形態では、発光機能付き靴１としてハイヒール靴を例として説明するが、本発明はこれに限られるものではない。
【００１８】
図１に示すように、本実施形態における発光機能付き靴１は、甲皮１０と、透明な材料で形成されたヒール１２と、表底１４と、ヒール１２の上方に形成された収容部１６とを備えている。ヒール１２の下面には底板１３が取り付けられている。また、図２に示すように、甲皮１０の内側には中底１８が敷設されている。表底１４と収容部１６と中底１８とにより靴１のソール部が構成される。
【００１９】
図３は図２のIII-III線に沿った部分断面図である。図３に示すように、収容部１６の内部には発光ユニット２０が埋設されている。この発光ユニット２０は、歩行時の足裏（踵）が中底１８を押圧する力により電力を生成する圧電素子２１（電力発生器）と、圧電素子２１により生成された電力を用いてヒール１２の下方の底板１３に向けて光を発する発光ダイオード２２（発光体）と、圧電素子２１から発光ダイオード２２に供給する電力を制御する制御部２３とを備えている。
【００２０】
圧電素子２１は、中底１８に一体的に取り付けられており、柔軟性のある構造を有している。歩行時に踵が中底１８を押し付けると、その押圧力を受けて圧電素子２１の圧電体が電気エネルギ（電力）を生じるようになっている。この圧電素子２１により生成された電力は制御部２３に供給され、制御部２３はこの電力を蓄積および制御し発光ダイオード２２に供給する。発光ダイオード２２に電力が供給されると、発光ダイオード２２が発光し、ヒール１２の下方の底板１３に向けて光が照射される。
【００２１】
ここで、上述したように、圧電素子２１は、中底１８に一体的に取り付けられ、柔軟性のある構造を有しているため、靴１の履き心地を損なうことがない。また、圧電素子２１の平面的な大きさに関する自由度が高いので、圧電素子２１の発電能力を自由に設定することができる。また、圧電素子２１を用いることで、機械的な加工を必要とする部分を少なくすることができ、信頼性および堅牢性の高い構造を提供することができる。さらに、圧電素子２１により電力が生成されるので、電池などの電源が不要となり、電池交換などのメンテナンスが一切不要となる。したがって、長期にわたり快適に使用することができる。
【００２２】
また、圧電素子２１、発光ダイオード２２、および制御部２３を一体化した発光ユニット２０を用いているため、靴１へ組み込む際に機械的な加工が必要となる部分が少なくて済み、またその組み込み作業も容易である。さらに、発光ユニット２０内に圧電素子２１、発光ダイオード２２、および制御部２３が一体的に収容されているので、これらの部品の信頼性および堅牢性を高めることができる。
【００２３】
ここで、図３に示すように、ヒール１２の下部には空間Ｓが形成されている。この空間Ｓは、ヒール１２の内部に形成された円筒面１２Ａと、円筒面１２Ａの上部に形成され後方に向かって下降する傾斜面１２Ｂとによって形成されている。この傾斜面１２Ｂは、発光ダイオード２２からの光を全反射させるように構成されている。
【００２４】
上述したようにヒール１２は透明な材料で形成されており、発光ダイオード２２からの光を透過させるように構成されている。ここで、例えばヒール１２がポリカーボネートから形成されているとすれば、その屈折率は１．５９である。ヒール１２の下部の空間Ｓに存在する空気の屈折率は１．００であり、ヒール１２の屈折率よりも低い。したがって、臨界角４０°以上の入射角において全反射が生じる。図４に示すように、本実施形態の傾斜面１２Ｂは、この臨界角以上の入射角θで発光ダイオード２２からの光が入射するように構成されており、発光ダイオード２２からの光は傾斜面１２Ｂにて全反射されヒール１２の外部に導かれる。このように、傾斜面１２Ｂは、発光ダイオード２２からの光を全反射させる反射面を構成しており、ヒール１２の下部に形成された空間Ｓは、発光ダイオード２２からの光をヒール１２内で全反射させてヒール１２の外部後方に導く反射導光部として機能する。
【００２５】
このように、本実施形態の発光機能付き靴１では、実際に光を発する発光ダイオード２２と、外部に光を導く導光部（反射導光部）とを分離することができるので、発光ダイオード２２を収容する発光ユニット２０を靴１のわずかなスペースに配置さえできれば、導光部により簡単に光を任意の方向に照射することができ、柔軟な設計が可能となる。したがって、様々なバリエーションのデザインを有し、夢のあるファッショナブルな発光機能付き靴を提供することができる。
【００２６】
また、発光ダイオード２２と外部に光を導く導光部（反射導光部）とが分離されているので、外部からは何もないところから発光しているように見え、見る人にデザイン的な驚きを与え、さらに注目を集めることができる。
【００２７】
また、発光ダイオード２２と外部に光を導く導光部（反射導光部）とを分離することができるので、本実施形態のようにハイヒール靴などの美観が重視される靴であっても、外部から見えない箇所に発光ダイオード２２を配置することができ、靴の美観を損なうことがない。このように、本実施形態によれば、美観が重視されるハイヒール靴にも発光機能を持たせることが可能となる。
【００２８】
図５および図６は、本実施形態における発光ユニット２０の構成例を示す回路図である。図５に示す例では、発光ユニット２０の制御部２３として、整流器３０、高容量キャパシタ３１，３２、ローパスフィルタ３３、シュミット回路３４、ＦＥＴ回路３５などが設けられている。図５に示す発光ユニット２０は、圧電素子２１が生成した正電圧のみを利用するものである。また、図６に示す例では、発光ユニット２０の制御部２３として、全波整流器３６、高容量キャパシタ３１，３２、ローパスフィルタ３３、シュミット回路３４、ＦＥＴ回路３５などが設けられている。図６に示す発光ユニット２０は、圧電素子２１が生成した正電圧および負電圧の双方を利用するものである。
【００２９】
図５や図６に示すような回路により、発光ダイオード２２を発光させるために必要十分な電気エネルギが高容量キャパシタ３１，３２に蓄積されたことを検出した後、発光ダイオード２２を発光させ、一定時間後に発光ダイオード２２の発光を停止するように制御部２３を構成することができる。また、所望の発光パターンとなるように電力を発光ダイオード２２に供給するようにしてもよい。例えば、図７（ａ）から図７（ｃ）に示すようなパターンで電圧を発光ダイオード２２に供給してもよい。このように、様々な発光パターンで発光ダイオード２２を発光させることにより、より効果的に見る人に驚きを与えることができ、また注目を集めることもできる。
【００３０】
図８は、本発明の第２の実施形態における発光機能付き靴１０１の部分断面図である。上述した第１の実施形態では、ヒール１２の下部に反射導光部を構成する空間Ｓが形成されていたが、本実施形態では、空間Ｓに対応する部分に反射導光部材４０が埋設されている。この反射導光部材４０は、円筒面４０Ａと、円筒面４０Ａの上部に形成され後方に向かって下降する傾斜面４０Ｂとを有している。この反射導光部材４０は、ヒール１２の屈折率よりも低い材料（例えばプラスチック）にて形成されている。
【００３１】
この反射導光部材４０の傾斜面４０Ｂは、全反射を生じる臨界角以上の入射角で発光ダイオード２２からの光が入射するように構成されており、発光ダイオード２２からの光は傾斜面４０Ｂにて全反射されヒール１２の後方に導かれる。このように、傾斜面４０Ｂは、発光ダイオード２２からの光を全反射させる反射面を構成しており、反射導光部材４０は、発光ダイオード２２からの光をヒール１２内で全反射させてヒール１２の外部後方に導く反射導光部として機能する。
【００３２】
このように、本実施形態においても、実際に光を発する発光ダイオード２２と、外部に光を導く導光部（反射導光部材４０）とを分離することができるので、発光ユニット２０を靴１０１のわずかなスペースに配置さえできれば、導光部により簡単に光を任意の方向に照射することができる。この光の照射方向は、反射導光部材４０の構成を変更するだけで容易に変更することができる。
【００３３】
図９は本発明の第３の実施形態における発光機能付き靴２０１の平面図、図１０は図９のX-X線に沿った断面図である。本実施形態では、第２の実施形態の反射導光部材４０に代えて反射導光部材２４０が設けられている。この反射導光部材２４０は、円筒面２４０Ａと、円筒面２４０Ａの上部に形成され図１０の右側に向かって下降する傾斜面２４０Ｂとを有している。この反射導光部材２４０は、ヒール１２の屈折率よりも低い材料（例えばプラスチック）にて形成されている。
【００３４】
この反射導光部材２４０の傾斜面２４０Ｂは、全反射を生じる臨界角以上の入射角で発光ダイオード２２からの光が入射するように構成されており、発光ダイオード２２からの光は傾斜面２４０Ｂにて全反射されヒール１２の右方に導かれる。このように、傾斜面２４０Ｂは、発光ダイオード２２からの光を全反射させる反射面を構成しており、反射導光部材２４０は、発光ダイオード２２からの光をヒール１２内で全反射させてヒール１２の外部右方に導く反射導光部として機能する。
【００３５】
このように、本実施形態においても、実際に光を発する発光ダイオード２２と、外部に光を導く導光部（反射導光部材２４０）とを分離することができるので、発光ユニット２０を靴２０１のわずかなスペースに配置さえできれば、導光部により簡単に光を任意の方向に照射することができる。この光の照射方向は、反射導光部材２４０の構成を変更するだけで容易に変更することができる。
【００３６】
図１１は、本発明の第４の実施形態における発光機能付き靴３０１の断面図である。本実施形態では、第２の実施形態の反射導光部材４０に代えて反射導光部材３４０が設けられている。この反射導光部材３４０は、円筒面３４０Ａと、円筒面３４０Ａの上部に形成され図１１の左側に向かって下降する傾斜面３４０Ｂとを有している。この反射導光部材３４０は、ヒール１２の屈折率よりも低い材料（例えばプラスチック）にて形成されている。
【００３７】
この反射導光部材３４０の傾斜面３４０Ｂは、全反射を生じる臨界角以上の入射角で発光ダイオード２２からの光が入射するように構成されており、発光ダイオード２２からの光は傾斜面３４０Ｂにて全反射されヒール１２の左方に導かれる。このように、傾斜面３４０Ｂは、発光ダイオード２２からの光を全反射させる反射面を構成しており、反射導光部材３４０は、発光ダイオード２２からの光をヒール１２内で全反射させてヒール１２の外部左方に導く反射導光部として機能する。
【００３８】
このように、本実施形態においても、実際に光を発する発光ダイオード２２と、外部に光を導く導光部（反射導光部材３４０）とを分離することができるので、発光ユニット２０を靴３０１のわずかなスペースに配置さえできれば、導光部により簡単に光を任意の方向に照射することができる。この光の照射方向は、反射導光部材３４０の構成を変更するだけで容易に変更することができる。
【００３９】
図１２は、本発明の第５の実施形態における発光機能付き靴４０１の断面図である。本実施形態では、第２の実施形態の反射導光部材４０に代えて反射導光部材４４０が設けられている。この反射導光部材４４０は、円筒面４４０Ａと、円筒面４４０Ａの上部に形成され図１２の右側に向かって下降する第１の傾斜面４４０Ｂと、円筒面４４０Ａの上部に形成され図１２の左側に向かって下降する第２の傾斜面４４０Ｃとを有している。この射部材４４０は、ヒール１２の屈折率よりも低い材料（例えばプラスチック）にて形成されている。
【００４０】
この反射導光部材４４０の第１の傾斜面４４０Ｂは、全反射を生じる臨界角以上の入射角で発光ダイオード２２からの光が入射するように構成されており、発光ダイオード２２からの光は第１の傾斜面４４０Ｂにて全反射されヒール１２の右方に導かれる。また、反射導光部材４４０の第２の傾斜面４４０Ｃは、全反射を生じる臨界角以上の入射角で発光ダイオード２２からの光が入射するように構成されており、発光ダイオード２２からの光は第２の傾斜面４４０Ｃにて全反射されヒール１２の左方に導かれる。このように、第１の傾斜面４４０Ｂおよび第２の傾斜面４４０Ｃは、発光ダイオード２２からの光を全反射させる反射面をそれぞれ構成しており、反射導光部材４４０は、発光ダイオード２２からの光をヒール１２内で全反射させてヒール１２の外部右方および左方に導く反射導光部として機能する。
【００４１】
このように、本実施形態においても、実際に光を発する発光ダイオード２２と、外部に光を導く導光部（反射導光部材４４０）とを分離することができるので、発光ユニット２０を靴４０１のわずかなスペースに配置さえできれば、導光部により簡単に光を複数の方向に照射することができる。特に、本実施形態では、２つの傾斜面４４０Ｂ，４４０Ｃを設けることによって、１つの発光ダイオード２２からの光で２つの方向への光の照射が可能となっている。また、この光の照射方向は、反射導光部材４４０の構成を変更するだけで容易に変更することができる。
【００４２】
図１３は本発明の第６の実施形態における発光機能付き靴５０１の断面図、図１４は図１３のXIV-XIV線に沿った断面図である。本実施形態は、上述した第１の実施形態の変形例であり、本実施形態においては、ヒール１２の下部の空間Ｓが、ヒール１２の内部に形成された円筒面５１２Ａと、円筒面１２Ａの上部に形成され後方に向かって下降する第１の傾斜面５１２Ｂと、円筒面１２Ａの上部に形成され右斜め前方に向かって下降する第２の傾斜面５１２Ｃと、円筒面１２Ａの上部に形成され左斜め前方に向かって下降する第３の傾斜面５１２Ｄとによって形成されている。
【００４３】
これらの傾斜面５１２Ｂ，５１２Ｃ，５１２Ｄは、それぞれ全反射を生じる臨界角以上の入射角で発光ダイオード２２からの光が入射するように構成されており、発光ダイオード２２からの光は傾斜面５１２Ｂ，５１２Ｃ，５１２Ｄにてそれぞれ全反射されヒール１２の後方、右斜め前方、および左斜め前方に導かれる。このように、傾斜面５１２Ｂ，５１２Ｃ，５１２Ｄは、発光ダイオード２２からの光を全反射させる反射面をそれぞれ構成しており、ヒール１２の下部に形成された空間Ｓは、発光ダイオード２２からの光をヒール１２内で全反射させてヒール１２の外部後方、右斜め前方、および左斜め前方に導く反射導光部として機能する。
【００４４】
このように、本実施形態においても、実際に光を発する発光ダイオード２２と、外部に光を導く導光部（反射導光部）とを分離することができるので、発光ユニット２０を靴５０１のわずかなスペースに配置さえできれば、導光部により簡単に光を複数の方向に照射することができる。特に、本実施形態では、３つの傾斜面５１２Ｂ，５１２Ｃ，５１２Ｄを設けることによって、１つの発光ダイオード２２からの光で３つの方向への光の照射が可能となっている。また、この光の照射方向は、反射導光部の構成を変更するだけで容易に変更することができる。
【００４５】
図１５は、本発明の第７の実施形態における発光機能付き靴６０１の部分断面図である。本実施形態では、上述した第２の実施形態における反射導光部材４０に代えて、上面に反射鏡６４０Ａを有する反射導光部材６４０が設けられている。このような構成により、発光ダイオード２２からの光は反射鏡６４０Ａにて鏡面反射されヒール１２の後方に導かれる。このように、反射鏡６４０Ａは、発光ダイオード２２からの光を鏡面反射させる反射面を構成しており、反射導光部材６４０は、発光ダイオード２２からの光をヒール１２内で鏡面反射させてヒール１２の外部後方に導く反射導光部として機能する。
【００４６】
このように、本実施形態においても、実際に光を発する発光ダイオード２２と、外部に光を導く導光部（反射導光部材６４０）とを分離することができるので、発光ユニット２０を靴６０１のわずかなスペースに配置さえできれば、導光部により簡単に光を任意の方向に照射することができる。この光の照射方向は、反射導光部材６４０の構成を変更するだけで容易に変更することができる。
【００４７】
特に本実施形態においては、鏡面反射を利用するため、全反射に関する制約がなく、光を照射する方向を自由に設定することができる。したがって、より柔軟な設計が可能となり、見る人にデザイン的な驚きを与え、さらに注目を集めることができる。
【００４８】
なお、同様に、上述した各実施形態における傾斜面に反射鏡を配置することもできる。この場合には、発光ダイオード２２からの光は全反射ではなく鏡面反射により外部に導かれることとなる。また、靴の組み立ての際に、光の全反射を利用した構造（第１の実施形態から第６の実施形態）と鏡面反射を利用した構造（第７の実施形態）のいずれかを選択してヒール１２に組み込むことができるような互換性のある構造を採用することもできる。
【００４９】
上述した各実施形態においては、ヒール１２が透明な材料で形成されていたが、ヒール１２は透光性を有する材料で形成されていればよく、必ずしも透明である必要はない。また、例えば、図１６に示すように、ヒール１２内に飾り片５０を散在させてもよい。さらに、これらの飾り片５０として光を反射する性質を持つもの（反射片）を用いてもよい。そのような反射片５０として金箔や銀箔または金属の切り箔が好適に用いられる。このような反射片５０を用いることにより、ヒール１２から発される光をより効果的に演出することができる。
【００５０】
また、上述の実施形態においては、電力発生器として圧電素子を用いた例を説明したが、電力発生器は、足裏がソール部を押圧する力を受けて電力を生成するものであればどのようなものであってもよい。さらに、上述の実施形態においては、発光体として発光ダイオードを用いた例を説明したが、電力発生器からの電力を用いてヒールの底に向けて光を発するものであればどのような発光体を用いてもよい。
【００５１】
さらに、上述した実施形態においては、ハイヒール靴を発光機能付き靴の例として説明したが、本発明はハイヒール靴に限らず、あらゆる種類の靴に適用することができる。例えば、安全靴や登山靴など周囲への注意喚起に発光機能が役立つような靴に対しても本発明は効果的である。
【００５２】
これまで本発明の好ましい実施形態について説明したが、本発明は上述の実施形態に限定されず、その技術的思想の範囲内において種々異なる形態にて実施されてよいことは言うまでもない。
【符号の説明】
【００５３】
１    発光機能付き靴
１０    甲皮
１２    ヒール
１２Ａ  円筒面
１２Ｂ  傾斜面
１４    表底
１６    収容部
１８    中底
２０    発光ユニット
２１    圧電素子（電力発生器）
２２    発光ダイオード（発光体）
２３    制御部
３０    整流器
３１，３２    高容量キャパシタ
３３    ローパスフィルタ
３４    シュミット回路
３５    ＦＥＴ回路
３６    全波整流器
４０    反射導光部材
４０Ａ  円筒面
４０Ｂ  傾斜面
５０    飾り片
１０１    発光機能付き靴
２０１    発光機能付き靴
２４０    反射導光部材
２４０Ａ  円筒面
２４０Ｂ  傾斜面
３０１    発光機能付き靴
３４０    反射導光部材
３４０Ａ  円筒面
３４０Ｂ  傾斜面
４０１    発光機能付き靴
４４０    反射導光部材
４４０Ａ  円筒面
４４０Ｂ，４４０Ｃ  傾斜面
５０１    発光機能付き靴
５１２Ａ  円筒面
５１２Ｂ，５１２Ｃ，５１２Ｄ    傾斜面
６０１    発光機能付き靴
６４０    反射導光部材
６４０Ａ  反射鏡
Ｓ    空間
【図１】
0005356494.tif 000002
【図２】
0005356494.tif 000003
【図３】
0005356494.tif 000004
【図４】
0005356494.tif 000005
【図５】
0005356494.tif 000006
【図６】
0005356494.tif 000007
【図７】
0005356494.tif 000008
【図８】
0005356494.tif 000009
【図９】
0005356494.tif 000010
【図１０】
0005356494.tif 000011
【図１１】
0005356494.tif 000012
【図１２】
0005356494.tif 000013
【図１３】
0005356494.tif 000014
【図１４】
0005356494.tif 000015
【図１５】
0005356494.tif 000016
【図１６】
0005356494.tif 000017